(57)【特許請求の範囲】
【請求項１】
ベランダの一部にサンルームが設けられたサンルーム付き建物において、
前記ベランダの床の一部であって前記サンルームの床を構成するサンルーム床の表面部と、前記サンルームの壁の表面部との少なくともいずれか一方が蓄熱部となっており、
前記サンルーム上には、建物の屋根が位置しており、この屋根を支持する外壁には、前記サンルームと小屋裏とを連通可能とする連通部が開閉可能に設けられていることを特徴とするサンルーム付き建物。
【請求項２】
請求項１に記載のサンルーム付き建物において、
前記サンルームの壁には、サンルームの空気を建物内の部屋に取り込む取込部が設けられていることを特徴とするサンルーム付き建物。
【請求項３】
請求項１または２に記載のサンルーム付き建物において、
前記サンルーム上の屋根には、天窓が開閉可能に設けられ、
前記屋根または天窓には、この天窓への日射を遮蔽可能とする遮蔽部材が開閉可能に設けられていることを特徴とするサンルーム付き建物。
【請求項４】
請求項１〜３のいずれか一項に記載のサンルーム付き建物において、
前記ベランダに、透光性を有する第１戸と通風性を有する第２戸とが、前記サンルームと外部との境界部を選択的に仕切り可能に設けられていることを特徴とするサンルーム付き建物。
【請求項５】
請求項１〜４のいずれか一項に記載のサンルーム付き建物において、
前記建物内に設けられた浴室または洗面室が、前記ベランダ側に張出して設けられており、この浴室または洗面室と、前記サンルームとが行き来可能となるように隣接配置されていることを特徴とするサンルーム付き建物。
【発明の詳細な説明】
【技術分野】
【０００１】
本発明は、ベランダの一部にサンルームが設けられたサンルーム付き建物に関する。
【背景技術】
【０００２】
戸建住宅または集合住宅のベランダに簡易に設置することができるサンルームの一例として特許文献１に記載のものが知られている。
このサンルームは、戸建住宅または集合住宅のベランダに取り外し可能に設置されるサンルームであって、ベランダに分解可能に組立て設置されるサッシュ枠と、該サッシュ枠に嵌外し可能に嵌め込まれる窓ガラスとを備えてなるものである。
【先行技術文献】
【特許文献】
【０００３】
【特許文献１】特開平８−６８２１８号公報
【発明の概要】
【発明が解決しようとする課題】
【０００４】
ところで、上記のようなベランダに設けられたサンルームには、冬季の日中に日射がガラス窓を通して差し込むことにより、サンルームを暖かくすることができるが、夜間になるとサンルームに日射が差し込まないので、サンルームが冷え込み、また、夏季はサンルームが暑くなり過ぎて過熱するおそれがあるため、サンルームを有効利用し難いという問題があった。
【０００５】
本発明は上記事情に鑑みてなされたもので、冬季および夏季のいずれでもベランダに設けたサンルームを有効利用できるサンルーム付き建物を提供することを課題としている。
【課題を解決するための手段】
【０００６】
上記課題を解決するために、請求項１に記載のサンルーム付き建物は、例えば図１〜図６に示すように、ベランダ１５の一部にサンルーム１６が設けられたサンルーム付き建物において、
前記ベランダ１５の床の一部であって前記サンルーム１６の床を構成するサンルーム床２０の表面部と、前記サンルーム１６の壁２２の表面部との少なくともいずれか一方が蓄熱部２０ａ，２２ａとなっており、
前記サンルーム１６上には、建物の屋根２６が位置しており、この屋根２６を支持する外壁２９には、前記サンルーム１６と小屋裏３０とを連通可能とする連通部３１が開閉可能設けられていることを特徴とする。
【０００７】
請求項１に記載の発明によれば、冬季の日中にサンルーム１６に差し込んだ日差しによって暖められた空気の熱を蓄熱部２０ａ，２２ａが蓄熱し、夜間に蓄熱部２０ａ，２２ａから放熱してサンルーム１６を暖めるので、このサンルーム１６を有効利用できる。
また、夏季の日中は、図５に示すように、サンルーム１６の熱気を連通部３１を開けて小屋裏３０に逃がすことによって、サンルーム１６の過熱を防止できる。
夏季の夜間は、図６に示すように、連通部３１を開けてサンルーム１６の熱気を小屋裏３０に逃がすことによって、サンルーム１６の過熱を防止できる。
冬季の日中は、図３に示すように、連通部３１を閉じて暖かい空気の流出を防止することによって、サンルーム１６を効果的に暖めることができるとともに、蓄熱部２０ａ，２２ａに効果的に蓄熱できる。
冬季の夜間は、図４に示すように、連通部３１を閉じて、蓄熱部２０ａ，２２ａからの放熱によって暖められた空気の流出を防止することによって、サンルーム１６を効果的に暖めることができる。
【０００８】
請求項２に記載の発明は、請求項１に記載のサンルーム付き建物において、
前記サンルーム１６の壁２２には、サンルーム１６の空気を建物内の部屋９に取り込む取込部２５が設けられていることを特徴とする。
【０００９】
請求項２に記載の発明によれば、冬季の日中に日差しによって暖められたサンルーム１６の空気を取込部２５によって建物内の部屋９に取り込み、また、夜間に蓄熱部２０ａ，２２ａからの放熱によって暖められたサンルーム１６の空気を取込部２５によって建物内の部屋９に取り込むことによって、建物内の部屋９を暖めることができる。
【００１０】
請求項３に記載の発明は、請求項１または２に記載のサンルーム付き建物において、
前記サンルーム１６上の屋根２６には、天窓２７が開閉可能に設けられ、
前記屋根２６または天窓２７には、この天窓２７への日射を遮蔽可能とする遮蔽部材２８が開閉可能に設けられていることを特徴とする。
【００１１】
請求項３に記載の発明によれば、夏季の日中は、図５に示すように、遮蔽部材２８を閉じて天窓２７への日射を遮蔽して、サンルーム１６への日差しを遮蔽することによって、サンルーム１６の温度上昇を防止するとともに、サンルーム１６の熱気を連通部３１を開けて小屋裏３０に逃がすことによって、サンルーム１６の過熱を防止できる。
また、夏季の夜間は、図６に示すように、天窓２７を開けて、サンルーム１６の熱気を天窓２７から外部に逃がすとともに、連通部３１を開けてサンルーム１６の熱気を小屋裏３０に逃がすことによって、サンルーム１６の過熱を防止できる。
冬季の日中は、図３に示すように、閉じた状態の天窓２７を通して日差しをサンルーム１６に取り込むとともに、連通部３１を閉じて暖かい空気の流出を防止することによって、サンルーム１６を効果的に暖めることができるとともに、蓄熱部２０ａ，２２ａに効果的に蓄熱できる。
冬季の夜間は、図４に示すように、天窓２７、遮蔽部２８材、連通部３１を閉じて、蓄熱部２０ａ，２２ａからの放熱によって暖められた空気の流出を防止することによって、サンルーム１６を効果的に暖めることができる。
したがって、冬季、夏季のいずれでもサンルーム１６を有効利用できる。
【００１２】
請求項４に記載の発明は、請求項１〜３のいずれか一項に記載のサンルーム付き建物において、
前記ベランダ１５に、透光性を有する第１戸３４と通風性を有する第２戸３５とが、前記サンルーム１６と外部との境界部を選択的に仕切り可能に設けられていることを特徴とする。
【００１３】
請求項４に記載の発明によれば、冬季は、図３および図４に示すように、サンルーム１６と外部との境界部に透光性を有する第１戸３４を設けることによって、サンルーム１６に第１戸３４を通して日差しを効果的に取り入れることができる。
また、夏季は、図５および図６に示すように、サンルーム１６と外部との境界部に通風性を有する第２戸３５を設けることによって、サンルーム１６に第２戸３５を通して外部の空気を取り入れて、サンルーム１６の過熱を防止できる。
【００１４】
請求項５に記載の発明は、請求項１〜４のいずれか一項に記載のサンルーム付き建物において、
前記建物内に設けられた浴室１１または洗面室１０が、前記ベランダ１５側に張出して設けられており、この浴室１１または洗面室１０と、前記サンルーム１６とが行き来可能となるように隣接配置されていることを特徴とする。
【００１５】
請求項５に記載の発明によれば、冬季はサンルーム１６の暖かい空気を浴室１１または洗面室１０に取り込むことができ、夏季は浴室１１または洗面室１０内の湿気をサンルーム１６から外部に逃がすことができる。また、洗面室１０に洗濯機１０ａが設置されている場合に、洗濯物をすぐにサンルーム１６に干すことができる。
【発明の効果】
【００１６】
本発明によれば、冬季の日中にサンルームに差し込んだ日差しによって暖められた空気の熱を蓄熱部が蓄熱し、夜間に蓄熱部から放熱してサンルームを暖めるので、このサンルームを容易に利用できる。
また、夏季はサンルームの熱気を天窓から外部に逃がすととともに連通部から小屋裏に逃がすことができ、さらに遮蔽部材によってサンルームの温度上昇を抑制できるので、サンルームの過熱を防止できる。したがって、冬季、夏季のいずれでもサンルームを有効利用できる。
また、夏季の日中は、サンルームの熱気を連通部を開けて小屋裏に逃がすことによって、サンルームの過熱を防止できる。
夏季の夜間は、連通部を開けてサンルームの熱気を小屋裏に逃がすことによって、サンルームの過熱を防止できる。
冬季の日中は、連通部を閉じて暖かい空気の流出を防止することによって、サンルームを効果的に暖めることができるとともに、蓄熱部に効果的に蓄熱できる。
冬季の夜間は、連通部を閉じて、蓄熱部からの放熱によって暖められた空気の流出を防止することによって、サンルームを効果的に暖めることができる。
【図面の簡単な説明】
【００１７】
【図１】本発明に係るサンルーム付き建物の一例を示すもので、２階の平面図である。
【図２】同、１階の平面図である。
【図３】同、冬季日中のサンルームを示す建物の要部側断面図である。
【図４】同、冬季夜間のサンルームを示す建物の要部側断面図である。
【図５】同、夏季日中のサンルームを示す建物の要部側断面図である。
【図６】同、夏季夜間のサンルームを示す建物の要部側断面図である。
【発明を実施するための形態】
【００１８】
以下、図面を参照して本発明の実施の形態について説明する。
図１は本発明に係るサンルーム付き建物の２階の平面図、図２は同１階の平面図である。
図２に示すように、１階の南側にはリビング１が設けられている。リビング１は洋室部１ａと和室部１ｂとが左右（東西）に隣接しており、和室部１ｂの東側に２階に至る階段２が設けられている。また、リビング１の南側には濡縁３が設けられている。
リビング１の北側には、キッチン４と洗面室５とが東西に隣接して設けられている。また、南西角部には玄関ポーチ６が設けられており、この玄関ポーチ６の北側に土間７が南北に延在して設けられている。土間７は玄関土間部７ａとこの玄関土間部７ａの北側に設けられた休憩土間部７ｂとから構成されており、玄関土間７からリビング１の洋室部１ａに出入りできるようになっている。
【００１９】
図１に示すように、２階の南側には、吹抜け部８と寝室９とが東西に隣接して設けられており、寝室９の西側に洗面室１０が設けられ、この洗面室１０の南側に浴室１１が隣接して設けられている。また、洗面室１０には洗濯機１０ａが設置されている。
なお、吹抜け部８は１階の和室部１ｂの上方から２階の天井まで吹き抜ける空間である。
また、寝室９の北側には、東西に延在する廊下１２が設けられており、この廊下１２の北側に寝室１３が設けられている。この寝室１３の西側には吹抜け部１４が設けられている。この吹抜け部１４は１階の休憩土間部７ｂの上方から２階の天井まで吹き抜ける空間である。
【００２０】
また、前記寝室９および吹抜け部８の南側にはベランダ１５が設けられており、このベランダ１５の一部、すなわち西側端部にはサンルーム１６が設けられている。したがって、ベランダ１５は、サンルーム１６と外部ベランダ部１５ａとによって構成されている。
また、前記浴室１１はベランダ１５側に張出して設けられており、この浴室１１とサンルーム１６とが行き来可能となるように隣接配置されている。すなわち、浴室１１とサンルーム１６とを仕切る壁１７には、出入口１７ａとこの出入口１７ａを開閉する戸１７ｂが設けられている。
また、サンルーム１６の東側端部には壁１８がサンルーム１６と外部ベランダ部１５ａとを仕切るようにして設けられており、この壁１８には出入口１８ａとこの出入口１８ａを開閉する戸１８ｂが設けられている。
【００２１】
図３〜図６に示すように、前記サンルーム１６の床を構成するサンルーム床２０の表面部は蓄熱部２０ａとなっている。すなわち、サンルーム床２０は、内部に断熱材２１ａを充填した床本体２１と、この床本体２１の表面部に設けられた板状の前記蓄熱部２０ａとから構成されている。
蓄熱部２０ａを構成する蓄熱材としては、蓄熱容量を比較的大きくすることができ、蓄熱効果を高める点で、例えば潜熱を利用して蓄熱する潜熱蓄熱材が好ましい。この潜熱蓄熱材とは、単体、共融混合物、又は凝固点降下物質の融解と凝固の潜熱によって蓄熱と放熱とが行われるものである。潜熱蓄熱材を前記蓄熱部２０ａとして使用する場合、例えば、硫酸ナトリウム１０水塩、塩化カルシウム６水塩などの無機塩水和物を、硬質樹脂で形成された中空板の内部に充填したものを、床本体２１の表面に敷き詰めればよい。
【００２２】
また、前記サンルーム１６の壁２２、すなわちサンルーム１６と建物内の居室（寝室９）とを仕切る外壁２２の表面部は蓄熱部２２ａとなっている。外壁２２は、内部に断熱材２３ａを充填した壁本体２３と、この壁本体２３の表面部に設けられた板状の前記蓄熱部２２ａとから構成されている。
前記蓄熱部２２ａを構成する蓄熱材としては、前記蓄熱部２０ａと同様に、潜熱蓄熱材を使用することができる。潜熱蓄熱材を前記蓄熱部２２ａとして使用する場合、例えば、硫酸ナトリウム１０水塩、塩化カルシウム６水塩などの無機塩水和物を、パラフィンを特殊樹脂加工したアルミシートで封印したものを、壁本体２３の表面に取り付ければよい。
【００２３】
また、サンルーム１６の壁２２の上端部には、サンルーム１６の空気を建物内の部屋（寝室）９に取り込む取込部２５が設けられている。この取込部２５は、壁２２の上端部に形成された開口部２５ａと、この開口部２５ａに設けられたファン２５ｂと、開口部２５ａを開閉する図示しないシャッタとから構成されている。そして、ファン２５ｂは建物内に設けられた図示しないコントローラによって、ＯＮ・ＯＦＦできるようになっている。なお、ファン２５ｂがＯＮのときはシャッタが開き、ファン２５ｂがＯＦＦのときはシャッタが閉じるようになっている。
【００２４】
前記サンルーム１６上には、建物の屋根２６が位置しており、この屋根２６には天窓２７が開閉可能に設けられている。すなわち、屋根２６の軒先部には開口部が形成されており、この開口部に天窓２７がその一端部を軸として上下に回動可能に設けられている。そして、天窓２７を上方に回動させることによって開口部が開き、その位置から下方に回動させることによって、開口部が閉じるようになっている。天窓２７は窓枠とこの窓枠に嵌め込まれた透明な板ガラスによって構成されており、日差し（日射）は板ガラスを通してサンルーム１６に差し込むようになっている。なお、天窓２７は、建物内に設けられた図示しないコントローラによって、開閉操作ができるようになっている。
また、前記天窓２７の窓枠には、天窓２７への日射を遮蔽可能とする遮蔽部材２８が開閉可能に設けられている。遮蔽部材２８は例えばロールブラインドであり、このロールブラインドが巻き出されることによって、天窓２７への日射を遮蔽して、天窓２７からサンルーム１６への日差しを遮蔽し、また、ロールブラインドが巻き取られることによって、天窓２７を通して日差しがサンルーム１６に差し込むようになっている。
なお、ロールブラインドは、建物内に設けられた図示しないコントローラによって、開閉操作（巻取り、巻き出し操作）ができるようになっている。
【００２５】
前記屋根２６を支持する外壁２９には、サンルーム１６と小屋裏３０とを連通可能とする連通部３１が開閉可能に設けられている。連通部３１は、壁２９に形成された開口部３１ａと、この開口部３１ａに設けられて、該開口部３１ａを開閉するダンパ３１ｂとから構成されている。ダンパ３１ｂはその上端部を軸として前後（図３において左右）に回動するようになっている。そして、ダンパ３１ｂを後方（小屋裏３０側）に回動させることによって開口部３１ａが開いて、サンルーム１６と小屋裏３０とが連通し、その位置から前方に回動させることによって、開口部３１ａが閉じるようになっている。
なお、ダンパ３１ｂは、建物内に設けられた図示しないコントローラによって、開閉操作ができるようになっている。また、ダンパ３１ｂは夏季は通常開いておき、冬季は通常閉じておくようにする。
【００２６】
また、前記サンルーム床２０には、複数のスリット３２が上下に貫通して形成されており、夏季においては、これらスリット３２を通して外部の空気をサンルーム１６に取り入れることができるようになっている。また、サンルーム床２０の下面には、閉塞板３３が着脱可能に取り付けられている。この閉塞板３３は、冬季にサンルーム床２０の下面に取り付けられることで、前記スリット３２の下端開口を塞いで、外部の冷気がスリット３２を通してサンルーム１６に流入するのを防止するためのものである。なお、この閉塞板３３は例えば比較的柔軟な樹脂によって形成されており、サンルーム床２０の下面に密着するようになっている。なお、閉塞板３３は、夏季にはサンルーム床２０の下面から取り外すようになっている。
【００２７】
また、前記ベランダ１５には、透光性を有する第１戸３４と、通風性を有する第２戸３５とが、サンルーム１６と外部との境界部を選択的に仕切り可能に設けられている。
すなわち、図１に示すように、ベランダ１５の先端縁部には、戸袋３６が前記壁１７と直角に設けられており、この戸袋３６には２枚の引違い式の第１戸３４，３４と、２枚の引違い式の第２戸３５，３５とが選択的に引き出し可能に設けられている。
第１戸３４は、図３および図４に示すように、透明なガラス戸であり、戸袋３６から２枚引き出された際に、サンルーム１６の前面開口を閉じ、一方の第１戸３４が前記壁１８の端部からベランダ１５側に突出するようになっている。このような第１戸３４では、日差しをサンルーム１６に取り込むことができるが、外部の空気のサンルーム１６への流入を防止している。
前記第２戸３５は、図５および図６に示すように、ガラリ戸であり、厚さ方向に貫通する複数の開口部３５ａを有している。この開口部３５ａは、左右に延在するスリット状のものであってもよいし、上下左右に格子状に配置された矩形の孔状のものでもよい。また、第２戸３５には、図示しない防虫網が第２戸３５の表面を覆うようにして取り付けられている。第２戸３５は、戸袋３６から２枚引き出された際に、サンルーム１６の前面開口に配置され、一方の第２戸３５が前記壁１８の端部からベランダ１５側に突出するようになっている。このような第２戸３５では、サンルーム１６への斜め上方からの日差しを防止できるとともに、外部の空気を開口部３５ａを通してサンルーム１６に取り込むことができるようになっている。
【００２８】
次に、上記構成のサンルーム付き建物の使用方法について説明する。
（１）冬季の日中
冬季の日中においては、図３に示すように、天窓２７を閉じるとともに遮蔽部材２８を開ける。これにより、天窓２７の板ガラスを通して日差しをサンルーム１６に取り込めるとともに、天窓２７からの外部冷気のサンルーム１６への流入を防止する。
また、戸袋３６から２枚の第１戸３４を引き出して、サンルーム１６の前面開口を閉じる。これによって、第１戸３４を通して日差しをサンルーム１６に取り込めるとともに、外部冷気のサンルーム１６への流入を防止する。
さらに、取込部２５のファン２５ｂを回転させるとともに、連通部３１のダンパ３１ｂを閉じ、また、サンルーム床２０の下面に閉塞板３３を取り付ける。
【００２９】
そして、天窓２７を通してサンルーム１６に差し込んだ日差しＳ１によって、サンルーム１６が暖められるとともに、この暖められた空気の熱の一部が壁２２の表面部の蓄熱部２２ａおよびサンルーム床２０の表面部の蓄熱部２０ａに蓄熱される。特に日差しＳ１は蓄熱部２２ａに直接当たるので、この付近の空気が効果的に暖められて、その熱が蓄熱部２２ａに蓄熱される。
また、第１戸３４を通してサンルーム１６に差し込んだ日差しＳ２によって、サンルーム１６が暖められるとともに、この暖められた空気の熱の一部が壁２２の表面部の蓄熱部２２ａおよびサンルーム床２０の表面部の蓄熱部２０ａに蓄熱される。特に日差しＳ２は蓄熱部２０ａに直接当たるので、この付近の空気が効果的に暖められて、その熱が蓄熱部２０ａに蓄熱される。
さらに、サンルーム１６の暖かい空気は、取込部２５のファン２５ｂによって建物内の寝室９に取り込まれ、寝室９内を暖かくする。また、連通部３１のダンパ３１ｂを閉じているので、サンルーム１６の暖かい空気が、小屋裏３０に逃げることがない。また、サンルーム床２０の下面に取り付けられた閉塞板３３によって、下方から外部冷気がサンルーム１６に流入することがない。
【００３０】
（２）冬季の夜間
冬季の夜間においては、図４に示すように、天窓２７を閉じるとともに遮蔽部材２８を閉じる。これにより、サンルーム１６の暖かい空気の熱が天窓２７から外部に放熱されるのを抑える。
また、２枚の第１戸３４を引き出して、サンルーム１６の前面開口を閉じているので、外部冷気のサンルーム１６への流入を防止する。
さらに、取込部２５のファン２５ｂを回転させるとともに、連通部３１のダンパ３１ｂを閉じ、また、サンルーム床２０の下面に閉塞板３３を取り付ける。
【００３１】
そして、夜間は、日中に蓄熱された蓄熱部２０ａ，２２ａから放熱されることによって、サンルーム１６が暖められ、このサンルーム１６の暖かい空気は、取込部２５のファン２５ｂによって建物内の寝室９に取り込まれ、寝室９内を暖かくする。また、連通部３１のダンパ３１ｂを閉じているので、サンルーム１６の暖かい空気が、小屋裏３０に逃げることがない。また、サンルーム床２０の下面に取り付けられた閉塞板３３によって、下方から外部冷気がサンルーム１６に流入することがない。
【００３２】
（３）夏季の日中
夏季の日中においては、図５に示すように、天窓２７を閉じるとともに遮蔽部材２８を閉じる。これにより、日差しＳ３が遮蔽部材２８で反射することで、該遮蔽部材２８によって天窓への日射を遮蔽し、日差しが天窓２７を通してサンルーム１６に差し込むのを防止して、サンルーム１６の温度上昇を抑制する。
また、戸袋３６から２枚の第２戸３５を引き出して、サンルーム１６の前面開口に配置する。これによって、サンルーム１６への斜め上方からの日差しを防止するとともに、外部の空気を開口部３５ａを通してサンルーム１６に取り込めるようにする。
さらに、取込部２５のファン２５ｂを停止させるとともに、連通部３１のダンパ３１ｂを開き、また、サンルーム床２０の下面から閉塞板３３を取り外す。
【００３３】
そして、遮蔽部材２８によって天窓２７からのサンルーム１６への日差しを遮蔽することによって、サンルーム１６の温度上昇を防止するとともに、サンルーム１６の熱気を連通部３１を開けて小屋裏３０に逃がし、さらに、第２戸３５の開口部３５ａおよびサンルーム床２０のスリット３２から外部の空気をサンルーム１６に取り込むことによって、サンルーム１６の過熱を防止する。また、サンルーム１６の熱気は取込部２５から建物内の寝室９に流入することもない。
【００３４】
（４）夏季の夜間
夏季の夜間においては、図６に示すように、天窓２７を開けるとともに遮蔽部材２８を開ける。これにより、サンルーム１６の熱気が天窓２７から外部に放熱されるようにする。
また、２枚の第２戸３５を引き出して、サンルーム１６の前面開口に配置しているので、外部の空気を開口部３５ａを通してサンルーム１６に取り込めるようにする。
さらに、取込部２５のファン２５ｂを停止させるとともに、連通部３１のダンパ３１ｂを開き、また、サンルーム床２０の下面から閉塞板３３を取り外す。
【００３５】
そして、天窓２７を開けることによって、サンルーム１６の熱気を天窓２７から外部に逃がすとともに、連通部３１を開けて小屋裏３０に逃がし、さらに、第２戸３５の開口部３５ａおよびサンルーム床２０のスリット３２から外部の空気をサンルーム１６に取り込むことによって、サンルーム１６の過熱を防止する。また、サンルーム１６の熱気は取込部２５から建物内の寝室９に流入することもない。
【００３６】
以上のように本実施の形態によれば、冬季の日中にサンルーム１６に差し込んだ日差しによって暖められた空気の熱を蓄熱部２０ａ，２２ａが蓄熱し、夜間に蓄熱部２０ａ，２２ａから放熱してサンルーム１６を暖めるので、このサンルーム１６を有効利用できる。
また、冬季の日中に日差しによって暖められたサンルーム１６の空気を取込部２５によって建物内の寝室９に取り込み、また、夜間に蓄熱部２０ａ，２２ａからの放熱によって暖められたサンルーム１６の空気を取込部２５によって寝室９に取り込むことによって、寝室９を暖めることができる。
【００３７】
さらに、夏季の日中は、遮蔽部材２８を閉じて天窓２７からのサンルーム１６への日差しを遮蔽することによって、サンルーム１６の温度上昇を防止するとともに、第２戸３５の開口部３５ａおよびサンルーム床２０のスリット３２を通して外部の空気をサンルーム１６に取り込み、サンルーム１６の熱気を連通部３１を開けて小屋裏に逃がすことによって、サンルーム１６の過熱を防止できる。
また、夏季の夜間は、第２戸３５の開口部３５ａおよびサンルーム床２０のスリット３２を通して外部の空気をサンルーム１６に取り込み、天窓２７を開けることによって、サンルーム１６の熱気を天窓２７から外部に逃がすとともに、連通部３１を開けて小屋裏３０に逃がすことによって、サンルーム１６の過熱を防止できる。
冬季の日中は、閉じた状態の天窓２７を通して日差しをサンルーム１６に取り込むとともに、第１戸３４を通して日差しをサンルーム１６に取り込み、連通部３１を閉じて暖かい空気の流出を防止することによって、サンルーム１６を効果的に暖めることができるとともに、蓄熱部２０ａ，２２ａに効果的に蓄熱できる。
冬季の夜間は、天窓２７、遮蔽部材２８、連通部３１、サンルーム床２０のスリット３２を閉じて、蓄熱部２０ａ，２２ａからの放熱によって暖められた空気の流出を防止することによって、サンルーム１６を効果的に暖めることができる。
したがって、夏季、冬季のいずれでもサンルーム１６を有効利用できる。
【００３８】
また、浴室１１が、ベランダ１５側に張出して設けられており、この浴１１と、サンルーム１６とが行き来可能となるように隣接配置されているので、冬季はサンルーム１６の暖かい空気を浴室１１に取り込むことができ、夏季は浴室１１湿気をサンルーム１６から外部に逃がすことができる。また、浴室１１に隣接する洗面室１０に洗濯機１０ａが設置されているので、洗濯物を浴室１１を通ってすぐにサンルーム１６に干すことができる。
また、夏季は浴室１１での入浴中に、サンルーム１６に出て涼むこともできる。また、冬季はベランダ１５の外部ベランダ部１５ａに置かれている観葉植物等をサンルーム１６に入れて、観葉植物を保護できる。
【符号の説明】
【００３９】
１０  洗面室
１１  浴室
１５  ベランダ
１６  サンルーム
２０  サンルーム床
２０ａ，２２ａ  蓄熱部
１７  外壁（壁）
２５  取込部
２６  屋根
２７  天窓
２８  遮蔽部材
３０  小屋裏
３１  連通部
３４  第１戸
３５  第２戸
【図１】
0005467811.tif 000002
【図２】
0005467811.tif 000003
【図３】
0005467811.tif 000004
【図４】
0005467811.tif 000005
【図５】
0005467811.tif 000006
【図６】
0005467811.tif 000007